(57)【特許請求の範囲】
【請求項１】
便器本体と機能部品を具備した便器装置とを備えた水洗式便器であって、
前記便器本体は、
便鉢と、この便鉢の上端開口部に連続して後方に広がる後上面部と、この後上面部に上端が開口して鉛直方向に延びる固定孔とを備え、
前記便器装置は、
前方部分の下面から下方に延びて設けられた固定部材を有し、この前方部分を前記後上面部に載置しつつ、前記固定部材を前記固定孔に挿入して固定し、後方部分を前記便器本体の後端よりも後方へはみ出した状態で前記便器本体に固定されており、前記機能部品が取り付けられた支持部材と、
この支持部材に固定され、前記固定部材よりも前側からこの固定部材よりも後ろ側まで延びている補強部材とを備えていることを特徴とする水洗式便器。
【請求項２】
前記補強部材は、前記支持部材の後端部まで延びていることを特徴とする請求項１記載の水洗式便器。
【請求項３】
前記補強部材は、前記固定部材の前後において、この固定部材を挟むようにして左右方向に延びた補強片を有していることを特徴とする請求項１又は２記載の水洗式便器。
【請求項４】
前記固定部材は、前記支持部材から着脱可能であり、上端部に外側に広がるフランジ部を有しており、
このフランジ部と前記便器本体の後上面部との間で前記支持部材及び前記補強部材を挟み込んで前記便器装置を前記便器本体に固定していることを特徴とする請求項１乃至３のいずれか１項記載の水洗式便器。
【発明の詳細な説明】
【技術分野】
【０００１】
本発明は水洗式便器に関する。
【背景技術】
【０００２】
特許文献１に従来の水洗式便器が開示されている。この水洗式便器は、便器本体とバルブユニット及び蓄圧装置等を備えた便器装置とを備えている。この便器装置は支持部材を備えている。この支持部材は、前方部分を便器本体の後上面部に載置して、便器本体に固定されている。また、この支持部材は後方部分を便器本体の後端よりも後方へはみ出している。支持部材の後方部分にはバルブユニット及び蓄圧装置が固定されている。
【０００３】
この水洗式便器では、便器本体の後方スペースを有効に利用してバルブユニット等を設置することができる。このため、水洗式便器の小型化を図ることができる。また、便器本体の後方スペースを利用して蓄圧装置を設置しているため、充分な洗浄水を貯留することのできる蓄圧装置を採用することができる。このため、便器洗浄を良好に行うことができる。
【先行技術文献】
【特許文献】
【０００４】
【特許文献１】特開２００９−２８７２８９号公報
【発明の概要】
【発明が解決しようとする課題】
【０００５】
特許文献１の水洗式便器では、支持部材の後方部分が便器本体の後端よりも後方へはみ出しているため、支持部材の強度を上げて、支持部材を便器本体に強固に固定する必要がある。つまり、支持部材の強度が不足していたり、便器本体への支持部材の固定が不充分であったりした場合、水洗式便器の使用者等が便器装置の後方部分に手を突く等して便器装置の後方部分に下方に向けた力が加わると、支持部材の前端部が浮き上がり、便器装置が便器本体の後上面部でがたつくおそれがある。
【０００６】
本発明は、上記従来の実情に鑑みてなされたものであって、便器装置を便器本体にしっかりと固定することができる水洗式便器を提供することを解決すべき課題としている。
【課題を解決するための手段】
【０００７】
本発明の水洗式便器は、便器本体と機能部品を具備した便器装置とを備えた水洗式便器であって、
前記便器本体は、
便鉢と、この便鉢の上端開口部に連続して後方に広がる後上面部と、この後上面部に上端が開口して鉛直方向に延びた固定孔とを備え、
前記便器装置は、
前方部分の下面から下方に延びて設けられた固定部材を有し、この前方部分を前記後上面部に載置しつつ、前記固定部材を前記固定孔に挿入して固定し、後方部分を前記便器本体の後端よりも後方へはみ出した状態で前記便器本体に固定されており、前記機能部品が取り付けられた支持部材と、
この支持部材に固定され、前記固定部材よりも前側からこの固定部材よりも後ろ側まで延びている補強部材とを備えていることを特徴とする。
【０００８】
この水洗式便器では、便器本体の固定孔に支持部材の固定部材を挿入して固定することにより、便器装置を便器本体に固定する。支持部材は、固定部材より前側からこの固定部材よりも後ろ側まで延びた補強部材が固定されている。これにより、固定部材より前側から後ろ側に亘って支持部材が補強部材により補強される。また、支持部材の前方部分は便器本体の後上面部にしっかりと固定することができる。このため、水洗式便器の使用者等が便器装置の後方部分に手を突く等して便器装置の後方部分に下方に向けた力が加わったとしても支持部材の前端部が浮き上がり難くなり、便器装置が便器本体の後上面部でがたつくことを防止することができる。
【０００９】
したがって、本発明の水洗式便器は、便器装置を便器本体にしっかりと固定することができる。
【００１０】
前記補強部材は、前記支持部材の後端部まで延び得る。この場合、固定部材より前側から後端部に亘って支持部材が補強部材により補強される。これにより、支持部材が前後方向に湾曲し難くなる。このため、支持部材の便器本体への固定がしっかりと行えるとともに、支持部材の前端部が浮き上がり難くなり、便器装置が便器本体の後上面部でがたつくことを防止することができる。
【００１１】
前記補強部材は、前記固定部材の前後において、この固定部材を挟むようにして左右方向に延びた補強片を有し得る。この場合、支持部材の固定部材の周りをさらに補強することができる。このため、支持部材の便器本体への固定がさらにしっかりと行えるとともに、支持部材の前端部が浮き上がり難くなり、便器装置が便器本体の後上面部でがたつくことをさらに防止することができる。
【００１２】
前記固定部材は、前記支持部材から着脱可能であり、上端部に外側に広がるフランジ部を有しており、このフランジ部と前記便器本体の後上面部との間で前記支持部材及び前記補強部材を挟み込んで前記便器装置を前記便器本体に固定し得る。この場合、支持部材は固定部材によって便器本体にしっかりと固定することができる。このため、支持部材の前端部が浮き上がり難くなり、便器装置が便器本体の後上面部でがたつくことを防止することができる。
【図面の簡単な説明】
【００１３】
【図１】実施例の水洗式便器の概略図である。
【図２】実施例の水洗式便器の要部拡大図である。
【図３】実施例の水洗式便器の要部分解図である。
【図４】実施例の便器装置の底面図である。
【発明を実施するための形態】
【００１４】
本発明の水洗式便器を具体化した実施例を図面を参照しつつ説明する。
【００１５】
＜実施例＞
実施例の水洗式便器は、図１に示すように、便器本体１と便器装置１０とを備えている。便器本体１は、便鉢２、便鉢２の下流側に連通した便器排水路３、便鉢２の上端開口部に連続して後方に広がる後上面部５、及び後上面部５に鉛直方向に延びて貫通した一対の固定孔６を備えている。固定孔６は上端が上方を向いて開口し、下端が下方を向いて開口している。便器排水路３は上流側の下端部に取り付けられたジェットノズル３Ａを有している。ジェットノズル３Ａは便器洗浄装置に連通している。便器排水路３は下流端部に排水接続具４が接続されている。排水接続具４は下流端を床面に引き出された排水管に接続される。
【００１６】
便器装置１０は、局部洗浄ノズル１１等を有する局部洗浄用機能部品、昇降装置本体１２等を有する昇降用機能部品、及びバルブユニット１３等を有する便器洗浄用機能部品を具備している。便器装置１０は、水洗式便器が設置される場所の給水圧が低い場合、便器洗浄用機能部品である蓄圧装置１４を具備することができる。便器装置１０は左右側面に連続して便器本体１の左右後方の側部を覆う下カバー４３を有している。下カバー４３は便器装置１０及び便器本体１に対して着脱自在に取り付けられている。
【００１７】
便器装置１０は、図２〜図４に示すように、第１支持部材２０と第２支持部材３０とからなる支持部材、カバー部材４０、便座４１、便蓋４２、及び補強部材５０を備えている。
【００１８】
第１支持部材２０は、便器本体１の後上面部５から便器本体１の後端よりも後方へはみ出して広がる第１基盤部２１と、バルブユニット１３の下方側面を囲むように立設した第１立壁２２とを有している。第２支持部材３０は、便鉢２の後端部から第１基盤部２１の上面に重なり合い第１立壁２２の前方まで広がる第２基盤部３１と、昇降装置本体１２の昇降部１２Ｂが挿入されて固定される凹部を形成する第２立壁３２とを有している。このように、支持部材は、第１基盤部２１の前端部の上面に第２基盤部３１の後端部の下面を重ね合わせて形成されている。第１支持部材２０及び第２支持部材３０は樹脂製である。第１支持部材２０及び第２支持部材３０を樹脂製とし、後述するように補強部材５０を金属製にすることで便器装置１０のコストを下げることができる。
【００１９】
バルブユニット１３は、第１立壁２２内に配置され、第１基盤部２１に固定されている。第１基盤部２１は、上面に昇降装置本体１２を載置し、昇降装置本体１２の固定部１２Ａが固定されている。
【００２０】
第１基盤部２１は、前端部の左右に離れた２か所に取付部２３が設けられている。取付部２３は固定部材である固定ボルト６０が下方に延びて取り付けられている。取付部２３は、第１支持部材２０と第２支持部材３０とからなる支持部材の前方部分に位置している。このため、固定ボルト６０は第１支持部材２０と第２支持部材３０とからなる支持部材の前方部分の下面から下方に延びて設けられている。
【００２１】
固定ボルト６０は、上端部に外側に広がる四角形状のフランジ部６１と、フランジ部６１の下面から下方に延び、螺子山が設けられた胴部６２とを有している。各取付部２３は、フランジ部６１を下方から挿入可能に形成された挿入開口部２３Ａと、挿入開口部２３Ａに連続して内側に延びて形成された係止開口部２３Ｂとを有している。係止開口部２３Ｂは固定ボルト６０の胴部６２が挿通し、係止開口部２３Ｂの周りの上面に固定ボルト６０のフランジ部６１が係止する。このようにして、固定ボルト６０は第１基盤部２１の取付部２３に取り付けられる。左右に並んだ係止開口部２３Ｂは、便器本体１に設けられた一対の固定孔６に対応する位置に設けられている。このため、取付部２３に取り付けられた各固定ボルト６０は、便器本体１に設けられた一対の固定孔６に挿通可能である。
【００２２】
第２支持部材３０の第２基盤部３１は、前端部に２本の局部洗浄ノズル１１が取り付けられている。これら２本の局部洗浄ノズル１１は第２基盤部３１の前端から便鉢２内に出入り可能に伸縮する。また、第２基盤部３１はカバー部材４０が取り付けられている。カバー部材４０は、第１支持部材２０及び第２支持部材３０に固定されたバルブユニット１３、昇降装置本体１２及び局部洗浄ノズル１１等を内部に収納している。また、カバー部材４０は、前方上面部に便座４１及び便蓋４２を軸支する軸支部４４が設けられ、便座４１及び便蓋４２を回動自在に軸支している。
【００２３】
昇降装置本体１２の昇降部１２Ｂは第１基盤部２１に固定された固定部１２Ａに対して昇降可能である。このため、昇降部１２Ｂが固定されている第２支持部材３０は、昇降装置本体１２によって、第１支持部材２０に対して昇降可能に連結されている。このため、局部洗浄ノズル１１、カバー部材４０、便座４１及び便蓋４２は、昇降装置本体１２によって、第２支持部材３０とともに第１支持部材２０に対して昇降可能である。
【００２４】
第１支持部材２０は第１基盤部２１の下面に金属製の補強部材５０を固定している。補強部材５０は昇降装置本体１２の固定部１２Ａを第１基盤部２１に固定するボルトＢにより第１基盤部２１の下面に固定されている。補強部材５０は第１基盤部２１の前端部から後端部に亘る形状に形成されている。補強部材５０は後端部を下方に折り曲げて形成した吊下げ部５４を有している。吊下げ部５４は、蓄圧装置１４を吊下げて固定することができる。
【００２５】
補強部材５０は左右前端部の２か所に前方に延びる延長部５１を有している。延長部５１は第１基盤部２１に設けられた係止開口部２３Ｂの内側に延びている。延長部５１の前端部は係止開口部２３Ｂよりも前側に延びている。つまり、係止開口部２３Ｂに挿通された固定部材６０よりも前側に延びている。このように、補強部材５０は、第１基盤部２１の下面から下方に延びた固定部材６０よりも前側から第１基盤部２１の後端部まで延びている。このため、第１支持部材２０の第１基盤部２１は固定部材６０の前側から後端部に亘って補強部材５０により補強されている。よって、第１基盤部２１が前後方向に湾曲し難い。
【００２６】
第１支持部材２０は、固定部材６０の胴部６２を便器本体１の固定孔６に挿通し、ワッシャーＷを介して、ナットＮをねじ込むことにより、便器本体１の後上面部５に固定される。この際、第１支持部材２０の第１基盤部２１は、固定部材６０の前側から後端部に亘って補強部材５０により補強され、前後方向に湾曲し難いため、便器本体１の後上面部５にしっかりと固定することができる。このため、水洗式便器の使用者等が便器装置１０の後方部分に手を突く等して便器装置１０の後方部分に下方に向けた力が加わったとしても第１支持部材２１の前端部が浮き上がり難い。また、第１支持部材２１の前端部が浮き上がり難いため、第２支持部材３１の前端部も浮き上がり難く、便器装置１０が便器本体１の後上面部５でがたつくことを防止することができる。
【００２７】
したがって、実施例の水洗式便器は、便器装置１０を便器本体１にしっかりと固定することができる。
【００２８】
また、補強部材５０は、延長部５１の前端部から左右方向の外側に延びる第１補強片５２Ａと、第１補強片５２Ａとの間に固定部材６０の胴部６２を挟み込める空間５３を形成して左右方向の外側に延びる第２補強片５２Ｂとを形成している。第１補強片５２Ａと第２補強片５２Ｂとの間に形成される空間５３は第１基盤部２１の係止開口部２３Ｂに対応する位置に形成されている。
【００２９】
このため、固定部材６０の胴部６２が挿通する第１基盤部２１の係止開口部２３Ｂの周りを補強することができる。このため、第１支持部材２０の便器本体１への固定がさらにしっかりと行える。よって、第１支持部材２１の前端部及び第２支持部材３１の前端部が浮き上がり難く、便器装置１０が便器本体１の後上面部５でがたつくことをさらに防止することができる。
【００３０】
第１支持部材２０は、固定部材６０のフランジ部６１と便器本体１の後上面部５との間で第１基盤部２１及び補強部材５０を挟み込んで、便器本体１の後上面部５に固定されている。このため、第１支持部材２０は固定部材６０によって便器本体１にしっかりと固定することができる。よって、第１支持部材２１の前端部及び第２支持部材３１の前端部が浮き上がり難く、便器装置１０が便器本体１の後上面部５でがたつくことをさらに防止することができる。
【００３１】
本発明は上記記述及び図面によって説明した実施例に限定されるものではなく、例えば次のような実施例も本発明の技術的範囲に含まれる。
（１）実施例では、支持部材を第１支持部材と第２支持部材とに分割したが、分割せずに一体のものであってもよい。
（２）実施例では、補強部材が第１基盤部の前端部から後端部に亘る形状に形成されていたが、固定部材の前側から第１基盤部の後端部まで延ばさず、固定部材の後ろ側まで延びた形状に形成してもよい。
（３）実施例では、補強部材に第１補強片及び第２補強片が形成されていたが、第１補強片及び第２補強片は無くてもよい。
【符号の説明】
【００３２】
１…便器本体
２…便鉢
５…後上面部
６…固定孔
１０…便器装置
２０、３０…支持部材（２０…第１支持部材、３０…第２支持部材）
５０…補強部材
５２Ａ、５２Ｂ…補強片（５２Ａ…第１補強片、５２Ｂ…第２補強片）
６０…固定部材
６１…フランジ部
【図１】
0005501854.tif 000002
【図２】
0005501854.tif 000003
【図３】
0005501854.tif 000004
【図４】
0005501854.tif 000005